(57)【要約】【課題】把手のように重く嵩張ることなく、鍋蓋を傾斜状態に保持することができる鍋蓋の摘みを提供する。【解決手段】蓋本体ＬＢに固定される台座１０と、台座１０に摺接した状態で回転可能に支持される、略楕円形状の平坦な天面２１を有する摘み本体２０と、摘み本体２０を基本位置及びその基本位置から反転させた変容位置にそれぞれ保持する保持手段３０とを備えている。台座１０は、蓋本体ＬＢのフレームｆの下端縁に対して傾斜した、摘み本体２０が摺接する傾斜面１３を有している。基本位置及び変容位置に保持された摘み本体２０は、その天面２１が蓋本体ＬＢのフレームｆの下端縁に対して傾斜しており、摘み本体２０が変容位置に保持された状態では、摘み本体２０の天面２１の蓋本体ＬＢのフレームｆの下端縁に対する傾斜角度が基本位置に保持された場合より大きくなって、摘み本体２０が蓋本体ＬＢを傾斜状態に保持する支持脚として機能する。【選択図】        図２
0003233564.tif 000002
【実用新案登録請求の範囲】
【請求項１】
鍋蓋の中心部に固定される台座と、
前記台座に摺接した状態で回転可能に支持される、平坦な天面を有する摘み本体と、
前記台座に対して前記摘み本体を基本位置及びその基本位置から１８０度回転させた変容位置にそれぞれ保持する保持手段と
を備え、
鍋蓋に取り付けられた状態で、
前記台座は、鍋蓋の下端縁に対して傾斜した、前記摘み本体が摺接する傾斜面を有しており、
基本位置に保持された前記摘み本体及び変容位置に保持された前記摘み本体は、その天面が、鍋蓋の下端縁に対して、前記台座の傾斜面の最高位側から最低位側に向かって下方に傾斜しており、
変容位置に保持された前記摘み本体は、基本位置に保持された前記摘み本体に比べて、鍋蓋の下端縁に対する天面の傾斜角度が大きく、平坦な天面が接地面となって鍋蓋を傾斜状態に保持する支持脚として機能することを特徴とする鍋蓋の摘み。
【考案の詳細な説明】
【技術分野】
【０００１】
この考案は、鍋蓋を傾けた状態に安定して保持することができる鍋蓋の摘みに関する。
【背景技術】
【０００２】
例えば、図８に示す鍋蓋ＰＬのように、鍋蓋の摘み５０は平面視円形状のものが一般的であり、こういった摘み５０が取り付けられた鍋蓋ＰＬは、鍋から外したとき、図９（ａ）に示すように、摘み５０を上にしてそのまま調理台等の上に伏せて置いたり、同図（ｂ）に示すように、上下を反転させて摘み５０を下にして調理台等の上に置いたりしている。
【０００３】
しかしながら、摘み５０を上にしてそのまま調理台等の上に鍋蓋ＰＬを伏せて置くと、調理中に鍋蓋ＰＬの内面に付着した水滴や油分等がしずくになって調理台の上に垂れ落ち、調理台が濡れたり、汚れたりしてしまうといった問題がある。また、上下を反転させて摘み５０を下にして鍋蓋ＰＬを調理台等に置くと、再度、鍋に蓋をするために鍋蓋ＰＬを持ち上げようとしても、摘み５０を掴みにくく、摘み５０を掴む際に熱い鍋蓋ＰＬに手が触れてしまうといった問題がある。
【０００４】
こういった問題を解決するために、鍋蓋を立てて置くことができるように、支持脚として機能する鍋蓋用の把手が開発されている（特許文献１参照）。
【先行技術文献】
【特許文献】
【０００５】
【特許文献１】特開２０２０−１９２２９４号公報
【考案の概要】
【考案が解決しようとする課題】
【０００６】
しかしながら、特許文献１に開示されている把手は、図１０（ａ）、（ｂ）に示すように、蓋本体（プレート）ＬＢの中心部に固定された接続部６１から柄部６２が斜め上に向かって蓋本体ＬＢの径方向に伸び出しているので、把手６０が嵩張って鍋蓋ＰＬを効率よく収納することができないと共に、把手６０が重くなって鍋蓋ＰＬを取り扱いにくいといった問題がある。
【０００７】
そこで、この考案の課題は、把手のように重く嵩張ることなく、鍋蓋を傾斜状態に保持することができる鍋蓋の摘みを提供することにある。
【課題を解決するための手段】
【０００８】
上記の課題を解決するため、請求項１に係る考案は、鍋蓋の中心部に固定される台座と、前記台座に摺接した状態で回転可能に支持される、平坦な天面を有する摘み本体と、前記台座に対して前記摘み本体を基本位置及びその基本位置から１８０度回転させた変容位置にそれぞれ保持する保持手段とを備え、鍋蓋に取り付けられた状態で、前記台座は、鍋蓋の下端縁に対して傾斜した、前記摘み本体が摺接する傾斜面を有しており、基本位置に保持された前記摘み本体及び変容位置に保持された前記摘み本体は、その天面が、鍋蓋の下端縁に対して、前記台座の傾斜面の最高位側から最低位側に向かって下方に傾斜しており、変容位置に保持された前記摘み本体は、基本位置に保持された前記摘み本体に比べて、鍋蓋の下端縁に対する天面の傾斜角度が大きく、平坦な天面が接地面となって鍋蓋を傾斜状態に保持する支持脚として機能することを特徴とする鍋蓋の摘みを提供するものである。
【考案の効果】
【０００９】
以上のように、請求項１に係る考案の鍋蓋の摘みは、基本位置に保持された摘み本体の天面及び変容位置に保持された摘み本体の天面が、鍋蓋の下端縁に対して、台座の傾斜面の最高位側から最低位側に向かって下方に傾斜しており、変容位置に保持された摘み本体は、基本位置に保持された摘み本体に比べて、鍋蓋の下端縁に対する天面の傾斜角度が大きく、平坦な天面が接地面となって鍋蓋を傾斜状態に保持する支持脚として機能するので、支持脚として機能する従来の把手のように、摘み本体を鍋蓋の径方向に大きく張り出させる必要がなく、コンパクトな摘み本体によって鍋蓋を傾斜状態に保持することができる。
【図面の簡単な説明】
【００１０】
【図１】この考案に係る摘みの一実施形態を取り付けた鍋蓋であって、同上の摘みを構成する摘み本体が基本位置にある状態を示す斜視図である。
【図２】（ａ）は図１のＸ−Ｘ線に沿った断面図、（ｂ）は図１のＹ−Ｙ線に沿った断面図である。
【図３】同上の摘みを取り付けた鍋蓋を上側から視た分解斜視図である。
【図４】同上の摘みを取り付けた鍋蓋を下側から視た分解斜視図である。
【図５】同上の摘みを取り付けた鍋蓋であって、同上の摘み本体が変容位置にある状態を示す斜視図である。
【図６】図５のＸ−Ｘ線に沿った断面図である。
【図７】同上の摘みを取り付けた鍋蓋を傾斜状態に保持した状態を示す側面図である。
【図８】従来の一般的な摘みを取り付けた鍋蓋を示す平面図である。
【図９】（ａ）、（ｂ）は同上の鍋蓋の使用状態を示す側面図である。
【図１０】（ａ）は従来の把手を取り付けた鍋蓋を示す平面図、（ｂ）は同上の鍋蓋を立てて置いた状態を示す側面図である。
【考案を実施するための形態】
【００１１】
以下、実施の形態について図面を参照して説明する。図１〜図４はこの考案に係る摘み１を蓋本体ＬＢに取り付けた鍋蓋ＰＬを示している。蓋本体ＬＢは、同図に示すように、強化ガラスによって形成された、中心部が少し高くなった扁平な平面円形状の本体部ｂと、この本体部ｂの外周縁に装着されたステンレス製のフレームｆとから構成されており、本体部ｂの中心部には、摘み１を固定するための２本のねじ１８を挿通する２つのねじ挿通孔ｈが形成されている。
【００１２】
前記摘み１は、同図に示すように、蓋本体ＬＢの中心部に固定される台座１０と、この台座１０に摺接した状態で回転可能に支持される、略楕円形状の平坦な天面２１を有する摘み本体２０と、台座１０に対して摘み本体２０を基本位置及びその基本位置から１８０度回転させた変容位置にそれぞれ保持する保持手段３０とを備えている。
【００１３】
前記台座１０は、図１〜図４に示すように、蓋本体ＬＢの本体部ｂの２つのねじ挿通孔ｈに挿通された２本のねじ１８によって蓋本体ＬＢに固定される台座本体１１と、この台座本体１１に摘み本体２０を回転可能に取り付ける取付部材１６及びねじ１７とを備えている。
【００１４】
前記台座本体１１は、図２〜図４に示すように、底面に形成された２つのねじ孔１２と、蓋本体ＬＢに固定された状態でそのフレームｆの下端縁に対して傾斜した、摘み本体２０が摺接する楕円形状の傾斜面１３と、この傾斜面１３に直交する方向に底面側から形成された円形凹部１４と、この円形凹部１４を傾斜面１３側に開放する、円形凹部１４と同心円上の円形凹部１４の内径より小径の円形穴１５とを有しており、蓋本体ＬＢの本体部ｂのねじ挿通孔ｈに挿通された２本のねじ１８がねじ孔１２にそれぞれねじ込まれることで、台座本体１１が蓋本体ＬＢに固定されるようになっている。
【００１５】
前記取付部材１６は、台座本体１１の円形凹部１４に回転可能に嵌入される大径部１６ａと、この大径部１６ａに連設された、台座本体１１の円形穴１５に入り込んで台座本体１１の傾斜面１３から突出する小径部１６ｂと、回転中心において大径部１６ａ及び小径部１６ｂを上下方向に貫通するねじ挿通孔１６ｃとを有しており、このねじ挿通孔１６ｃには、大径部１６ａ側からワッシャを介してねじ１７が挿通されるようになっている。
【００１６】
前記摘み本体２０は、図１〜図４に示すように、基本位置に保持された状態で、その天面２１が、蓋本体ＬＢのフレームｆの下端縁に対して、台座本体１１の傾斜面１３の最高位側から最低位側に向かって、１６．５度の傾斜角度で下方に傾斜しており、台座本体１１の傾斜面１３に摺接する底面２２は、その外縁が傾斜面１３の外縁に一致する楕円形状を有している。
【００１７】
前記底面２２には、その中央部に取付部材１６の小径部１６ｂが嵌入する円形凹部２３が形成されていると共に、その円形凹部２３を挟んで短径方向に前記保持手段３０の構成要素である後述するコイルばね３１を収容する２つのばね収容凹部２５がそれぞれ形成されており、円形凹部２３の上部には、台座１０のねじ１７がねじ込まれるねじ孔２４が形成されている。
【００１８】
従って、図２（ａ）、（ｂ）に示すように、取付部材１６を台座本体１１の円形凹部１４に嵌入することによって台座本体１１の傾斜面１３から突出させた小径部１６ｂの先端部を摘み本体２０の円形凹部２３に嵌入した状態で、取付部材１６のねじ挿通孔１６ｃに大径部１６ａ側からワッシャを介して挿通したねじ１７を摘み本体２０のねじ孔２４にねじ込むと、摘み本体２０の底面２２が台座本体１１の傾斜面１３に摺接した状態で、摘み本体２０が台座本体１１に回転可能に取り付けられる。
【００１９】
前記保持手段３０は、図２〜図４に示すように、摘み本体２０のばね収容凹部２５に収容された、圧縮状態のコイルばね３１及びこのコイルばね３１によって下方側に付勢されるボール３２と、このボール３２が嵌合する、台座本体１１の楕円形状の傾斜面１３における短径方向に形成された２つの嵌合凹部３３とから構成されており、台座１０に対する摘み本体２０の基本位置及び変容位置において、下方側に付勢されたボール３２が嵌合凹部３３に嵌合し、これによって、摘み本体２０が基本位置及び変容位置に保持されるようになっている。
【００２０】
以上のように構成された摘み１は、摘み本体２０を基本位置から１８０度回転させた変容位置に保持した状態では、図５及び図６に示すように、その天面２１が、蓋本体ＬＢのフレームｆの下端縁に対して、台座本体１１の傾斜面１３の最高位側から最低位側に向かって、２７．５度の傾斜角度で下方に傾斜しており、摘み本体２０の天面２１の蓋本体ＬＢのフレームｆの下端縁に対する傾斜角度が、基本位置に保持された状態に比べて大きくなっている。
【００２１】
鍋本体ＰＢに蓋をしたり、蓋を開けたりする際は、台座１０に対して摘み本体２０を基本位置に保持した状態で、摘み本体２０を掴んで鍋蓋ＰＬを取り扱えばよく、鍋本体から外した鍋蓋ＰＬを調理台等の上に置く際は、基本位置に保持された摘み本体２０を反転させて変容位置に保持すると、上述したように、摘み本体２０の天面２１の蓋本体ＬＢのフレームｆの下端縁に対する傾斜角度が基本位置に保持した場合より大きくなるので、図７に示すように、摘み本体２０の天面２１が接地するように、鍋蓋ＰＬを調理台等の上に置くと、蓋本体ＬＢを適度に傾斜した状態に保持することができる。よって、蓋本体ＬＢの内面に付着した水滴や油分等がしずくになって調理台の上に垂れ落ちることがなく、鍋本体に蓋をするために鍋蓋ＰＬを持ち上げる際も、摘み本体２０を掴み易く、摘み本体２０を掴む際に熱くなった蓋本体ＬＢに手が触れることもない。
【００２２】
また、この鍋蓋の摘み１は、支持脚として機能する従来の把手のように、摘み本体２０が蓋本体ＬＢの径方向に大きく張り出していないので、鍋蓋ＰＬを効率よく収納することができると共に、摘み１が軽量で鍋蓋ＰＬを取り扱いやすい。
【００２３】
なお、上述した実施形態では、摘み本体２０の天面２１が略楕円形状を有しているが、これに限定されるものではなく、摘み本体の天面は、円形状や略多角形状であってもよい。ただし、摘み本体は、蓋本体の中心から径方向に大きく張り出すものであってはならないことはいうまでもない。
【００２４】
また、上述した実施形態では、摘み本体２０の天面２１の蓋本体ＬＢのフレームｆの下端縁に対する傾斜角度が、基本位置に保持された状態で１６．５度に、変容位置に保持された状態で２７．５度になるように設定されているが、これに限定されるものではなく、蓋本体ＬＢを適度に傾斜した状態に安定して保持することができるのであれば、これらの傾斜角度を適宜変更することは可能で  ある。
【産業上の利用可能性】
【００２５】
この考案は、フライパンや鍋等の調理容器の蓋の摘みとして利用することができる。
【符号の説明】
【００２６】
１  摘み
１０  台座
１１  台座本体
１２  ねじ孔
１３  傾斜面
１４  円形凹部
１５  円形穴
１６  取付部材
１６ａ  大径部
１６ｂ  小径部
１６ｃ  ねじ挿通孔
１７  ねじ
１８  ねじ
２０  摘み本体
２１  天面
２２  底面
２３  円形凹部
２４  ねじ孔
２５  ばね収容凹部
３０  保持手段
３１  コイルばね
３２  ボール
３３  嵌合凹部
ＰＬ  鍋蓋
ＬＢ  蓋本体
ｂ  本体部
ｆ  フレーム
ｈ  ねじ挿通孔
【図１】
0003233564.tif 000003
【図２】
0003233564.tif 000004
【図３】
0003233564.tif 000005
【図４】
0003233564.tif 000006
【図５】
0003233564.tif 000007
【図６】
0003233564.tif 000008
【図７】
0003233564.tif 000009
【図８】
0003233564.tif 000010
【図９】
0003233564.tif 000011
【図１０】
0003233564.tif 000012